(57)【要約】【課題】長期間にわたって携帯型端末を繰り返し着脱しても、携帯型端末の画面を明瞭に視認することが可能で、故障を抑えることもでき、さらに優れた操作性を具備させる。【解決手段】携帯型端末Ｗが差し込まれる差込孔１１が形成された基板部１２と、差込孔に差し込まれた携帯型端末を携帯型端末の下方から支持する受部１３と、携帯型端末の背面を、後方を向く後面上で支持する支持部１４と、携帯型端末を着脱可能に保持する保持部１５と、を備え、受部は、携帯型端末を、携帯型端末の上部を差込孔から上方に突出させた状態で支持し、支持部は、基板部の上面から上方に向けて突出するとともに、基板部の上面において、差込孔にこの差込孔の前方から連なる部分に配設された上支持部１７を備え、保持部は、上支持部の後面との間で、携帯型端末の上部を前後方向に挟む挟持部２０を備える。【選択図】図２
2019199204.tif 000002
【特許請求の範囲】
【請求項１】
鞍乗り型車両のハンドル部に装着されて用いられ、携帯型端末を、画面を運転者に向けた状態で着脱可能に保持する携帯型端末の保持構造であって、
表裏面が上下方向を向くとともに、携帯型端末が差し込まれる差込孔が形成された基板部と、
前記基板部の下方に配設されるとともに、前記差込孔に差し込まれた携帯型端末を携帯型端末の下方から支持する受部と、
前記差込孔に差し込まれた携帯型端末の背面を、後方を向く後面上で支持する支持部と、
前記差込孔に差し込まれた携帯型端末を着脱可能に保持する保持部と、を備え、
前記受部は、前記差込孔に差し込まれた携帯型端末を、携帯型端末の上部を前記差込孔から上方に突出させた状態で支持し、
前記支持部は、前記基板部の上面から上方に向けて突出するとともに、前記基板部の上面において、前記差込孔にこの差込孔の前方から連なる部分に配設された上支持部を備え、
前記保持部は、前記上支持部の後面との間で、前記差込孔に差し込まれた携帯型端末の上部を前後方向に挟む挟持部を備える携帯型端末の保持構造。
【請求項２】
前記挟持部は、左右方向に間隔をあけて一対配設され、前記差込孔に差し込まれた携帯型端末の上部を左右方向に挟む請求項１に記載の携帯型端末の保持構造。
【請求項３】
一対の前記挟持部のうちの少なくとも一方は、左右方向に弾性変位可能に配設され、前記差込孔に差し込まれた携帯型端末の上部に左右方向に付勢された状態で当接する請求項２に記載の携帯型端末の保持構造。
【請求項４】
前記挟持部は、中心軸線が前記上支持部の後面に直交する方向に延びる軸状に形成され、
前記挟持部の外周面は、前記中心軸線に沿って前記上支持部の後面側に近づくに従い漸次、縮径している請求項１から３のいずれか１項に記載の携帯型端末の保持構造。
【請求項５】
前記挟持部は、中心軸線が前記上支持部の後面に直交する方向に延びる軸状に形成され、前記中心軸線回りに回転可能に配設されている請求項２から４のいずれか１項に記載の携帯型端末の保持構造。
【請求項６】
前記挟持部は、前記差込孔に差し込まれる携帯型端末の筐体を形成する材質より軟らかい軟材質で形成されている請求項１から５のいずれか１項に記載の携帯型端末の保持構造。
【請求項７】
前記ハンドル部のハンドルステムが内側に挿通されるとともに、前記ハンドルステムを上方から覆う有頂筒状の本体部を備え、
前記本体部は、前記基板部を頂壁に有することを特徴とする請求項１から６のいずれか１項に記載の携帯型端末の保持構造。
【発明の詳細な説明】
【技術分野】
【０００１】
本発明は、鞍乗り型車両のハンドル部に装着されて用いられ、携帯型端末を着脱可能に保持する携帯型端末の保持構造に関するものである。
【背景技術】
【０００２】
従来から、ハンドルが取付けられるハンドルステムが内側に挿通されるとともに、ハンドルステムを上方から覆う有頂筒状の本体カバーを備え、本体カバーに携帯型端末が着脱可能に保持される鞍乗り型車両用の携帯型端末の保持構造が知られている。
この種の保持構造として、例えば下記特許文献１に示されるような、本体カバーの頂壁に、携帯型端末が平置きされた状態で収容される凹部が形成され、この凹部を開放可能に覆う透明リッドが配設された構成が知られている。
【先行技術文献】
【特許文献】
【０００３】
【特許文献１】特開２０１４−６１８５６号公報
【発明の概要】
【発明が解決しようとする課題】
【０００４】
しかしながら、前記従来の保持構造では、透明リッドの例えば経年劣化、および汚れ等により、透明リッドを通して、携帯型端末の画面を視認することが困難になるおそれがある。また、携帯型端末を凹部に出し入れするのに、透明リッドを操作して凹部の開閉を繰り返すと、透明リッドと本体カバーとの接続部分が破損するおそれもある。さらに、凹部内の携帯型端末を操作するには、透明リッドを開く必要があり、操作性についても改善の余地がある。
【０００５】
この発明は、このような事情を考慮してなされたもので、長期間にわたって携帯型端末を繰り返し着脱しても、携帯型端末の画面を明瞭に視認することが可能で、故障を抑えることもでき、さらに優れた操作性を具備させることができる携帯型端末の保持構造を提供することを目的とする。
【課題を解決するための手段】
【０００６】
上記課題を解決して、このような目的を達成するために、本発明の携帯型端末の保持構造は、鞍乗り型車両のハンドル部に装着されて用いられ、携帯型端末を、画面を運転者に向けた状態で着脱可能に保持する携帯型端末の保持構造であって、表裏面が上下方向を向くとともに、携帯型端末が差し込まれる差込孔が形成された基板部と、前記基板部の下方に配設されるとともに、前記差込孔に差し込まれた携帯型端末を携帯型端末の下方から支持する受部と、前記差込孔に差し込まれた携帯型端末の背面を、後方を向く後面上で支持する支持部と、前記差込孔に差し込まれた携帯型端末を着脱可能に保持する保持部と、を備え、前記受部は、前記差込孔に差し込まれた携帯型端末を、携帯型端末の上部を前記差込孔から上方に突出させた状態で支持し、前記支持部は、前記基板部の上面から上方に向けて突出するとともに、前記基板部の上面において、前記差込孔にこの差込孔の前方から連なる部分に配設された上支持部を備え、前記保持部は、前記上支持部の後面との間で、前記差込孔に差し込まれた携帯型端末の上部を前後方向に挟む挟持部を備える。
【０００７】
この発明によれば、受部が、携帯型端末を、携帯型端末の上部を差込孔から上方に突出させた状態で支持するので、携帯型端末の上部の画面を、外部に露呈させた状態で運転者に向けることが可能になり、この保持構造が長期間使用され続け、仮に経年劣化したとしても、運転者が携帯型端末の画面を見やすい状態に保つことができる。
また、携帯型端末の上部の画面を、外部に露呈させた状態で運転者に向けることが可能になることから、停車時に、例えば、携帯型端末の画面を覆う扉等を開く操作を行わず即座に、画面を操作することもできる。
また、携帯型端末が、受部、支持部、および保持部で支持されるので、携帯型端末の上部を外部に露呈させたとしても、携帯型端末を安定して固定することができる。
以上の作用効果が、例えば、携帯型端末の画面を開閉する扉等を用いず、基板部、受部、支持部、および保持部を備える比較的簡易な構成によって奏されることから、複雑な機構部分を排除することが可能になり、破損しにくくすることができる。
また、支持部が上支持部を備えるので、差込孔に差し込まれた携帯型端末の上部の背面を、上支持部により支持した状態で、この背面の反対側に位置する画面を操作することが可能になり、画面の操作時に、携帯型端末が、この保持構造に対してぐらつくのを抑制することができる。
また、上支持部が、基板部の上面において、差込孔にこの差込孔の前方から連なる部分に配設されているので、携帯型端末を、その背面を上支持部の後面に摺接させながら、差込孔に差し込むことが可能になり、画面を運転者に向けた状態で携帯型端末を差込孔に容易に差し込むことができる。
また、保持部が、上支持部の後面との間で、差込孔に差し込まれた携帯型端末の上部を前後方向に挟む挟持部を備えるので、携帯型端末の上部が、前後方向に変位するのを抑制することが可能になり、車両が例えば段差を通過したとき等、差込孔に差し込まれた携帯型端末に大きな加速度が加えられても、携帯型端末の上部が、前後方向に揺動して上支持部の後面に衝突するのを抑制することができる。
【０００８】
ここで、前記挟持部は、左右方向に間隔をあけて一対配設され、前記差込孔に差し込まれた携帯型端末の上部を左右方向に挟んでもよい。
【０００９】
この場合、挟持部が左右方向に間隔をあけて一対配設されているので、差込孔に差し込まれた携帯型端末の画面が、挟持部により見えにくくなるのを抑えることができる。また、挟持部が、差込孔に差し込まれた携帯型端末の上部を左右方向に挟むので、携帯型端末の上部を上支持部に安定して固定することができる。
【００１０】
また、一対の前記挟持部のうちの少なくとも一方は、左右方向に弾性変位可能に配設され、前記差込孔に差し込まれた携帯型端末の上部に左右方向に付勢された状態で当接してもよい。
【００１１】
この場合、一対の挟持部のうちの少なくとも一方が、左右方向に弾性変位可能に配設され、差込孔に差し込まれた携帯型端末の上部に左右方向に付勢された状態で当接するので、携帯型端末の上部を上支持部に確実に安定して固定することができるとともに、携帯型端末を一対の挟持部同士の間に差し込む際に、挟持部を弾性変位させることで、携帯型端末を一対の挟持部同士の間に容易に差し込むことができる。
【００１２】
また、前記挟持部は、中心軸線が前記上支持部の後面に直交する方向に延びる軸状に形成され、前記挟持部の外周面は、前記中心軸線に沿って前記上支持部の後面側に近づくに従い漸次、縮径してもよい。
【００１３】
この場合、挟持部の外周面が、挟持部の中心軸線に沿って上支持部の後面側に近づくに従い漸次、縮径しているので、厚さが異なる複数種の携帯型端末を、挟持部を交換せず１種類の挟持部を用いて上支持部の後面との間で前後方向に挟むことができる。
【００１４】
また、前記挟持部は、中心軸線が前記上支持部の後面に直交する方向に延びる軸状に形成され、前記中心軸線回りに回転可能に配設されてもよい。
【００１５】
この場合、挟持部が、前記中心軸線回りに回転可能に配設されているので、携帯型端末を、一対の挟持部同士の間に差し込む際に、挟持部の外周面に当接させることで、挟持部を前記中心軸線回りに回転させることが可能になり、携帯型端末を、一対の挟持部同士の間に引っ掛かり少なく円滑に差し込むことができる。
【００１６】
また、前記挟持部は、前記差込孔に差し込まれる携帯型端末の筐体を形成する材質より軟らかい軟材質で形成されてもよい。
【００１７】
この場合、挟持部が、差込孔に差し込まれる携帯型端末の筐体を形成する材質より軟らかい軟材質で形成されているので、挟持部が携帯型端末を傷付けるのを抑制することができる。
【００１８】
また、前記ハンドル部のハンドルステムが内側に挿通されるとともに、前記ハンドルステムを上方から覆う有頂筒状の本体部を備え、前記本体部は、前記基板部を頂壁に有してもよい。
【００１９】
この場合、頂壁が基板部とされた有頂筒状の本体部を備えるので、携帯型端末の保持構造を、鞍乗り型車両の意匠性を阻害することなく、ハンドル部に安定して装着することができる。
【発明の効果】
【００２０】
この発明によれば、長期間にわたって携帯型端末を繰り返し着脱しても、携帯型端末の画面を明瞭に視認することが可能で、故障を抑えることもでき、さらに優れた操作性を具備させることができる。
【図面の簡単な説明】
【００２１】
【図１】本発明に係る一実施形態として示した保持構造の斜視図である。
【図２】図１に示す保持構造の要部を示す縦断面図である。
【図３】図１および図２に示される受部、下支持部、横保持部、および弾性片の斜視図である。
【図４】図２のＩＶ−ＩＶ線矢視図である。
【発明を実施するための形態】
【００２２】
以下、本発明に係る携帯型端末の保持構造の一実施形態を、図１から図４を参照しながら説明する。
携帯型端末Ｗの保持構造１は、鞍乗り型車両のハンドル部Ｈに装着されて用いられ、携帯型端末Ｗを、画面を運転者に向けた状態で着脱可能に保持する。保持構造１は、ハンドル部Ｈに、このハンドル部Ｈのハンドル軸Ｏ回りの回転操作に追従するように取付けられる。
以下、鞍乗り型車両の走行方向を前側といい、その逆向きを後側という。保持構造１は、携帯型端末Ｗを、画面を運転者側の後方に向けた状態で着脱可能に保持する。
保持構造１は、基板部１２と、受部１３と、支持部１４と、保持部１５と、を備える。
【００２３】
基板部１２は、表裏面が上下方向を向く板状に形成されている。基板部１２に、携帯型端末Ｗが差し込まれる差込孔１１が形成されている。差込孔１１は、基板部１２の前端部に形成されている。差込孔１１は、左右方向に長い長方形状に形成されている。図示の例では、携帯型端末Ｗは、差込孔１１に縦向きに差し込まれる。
【００２４】
受部１３は、図２に示されるように、基板部１２の下方に配設されるとともに、差込孔１１に差し込まれた携帯型端末Ｗを携帯型端末Ｗの下方から支持する。受部１３は、差込孔１１に差し込まれた携帯型端末Ｗを、携帯型端末Ｗの上部を差込孔１１から上方に突出させた状態で支持する。受部１３は、表裏面が上下方向を向く左右方向に長い長方形状の板状に形成されている。受部１３は、後方から前方に向かうに従い漸次、下方に向けて延びている。
【００２５】
受部１３には、図３に示されるように、左右方向に間隔をあけて複数の貫通孔１３ａが形成されている。貫通孔１３ａは、受部１３の平面視で、前後方向に長い長方形状を呈する。受部１３の上面における貫通孔１３ａの開口周縁部に、突条部１３ｂが形成されている。突条部１３ｂは、受部１３の上面における貫通孔１３ａの開口周縁部のうち、左右方向の両端、および後端を縁取るように配設されている。複数の突条部１３ｂに携帯型端末Ｗが支持される。
【００２６】
支持部１４は、図１および図２に示されるように、差込孔１１に差し込まれた携帯型端末Ｗの背面を、後方を向く後面上で支持する。支持部１４は、携帯型端末Ｗの上部を支持する上支持部１７と、携帯型端末Ｗの下部を支持する下支持部１６と、を備える。
【００２７】
下支持部１６は、基板部１２の下方に配設され、携帯型端末Ｗのうち、基板部１２より下方に位置する下部の背面を支持する。下支持部１６によって支持される携帯型端末Ｗの下部の長さは、携帯型端末Ｗの全長の例えば３分の１以上２分の１未満となっている。下支持部１６は、表裏面が前後方向を向く板状に形成されている。下支持部１６は、図３に示されるように、前後方向から見て矩形状を呈する。この矩形状を画成する４つの辺のうち、一対の辺が上端縁および下端縁に位置して左右方向に延び、かつ残り一対の辺が左右方向の両端縁に位置して上下方向に延びている。下支持部１６は、受部１３の前端縁から上方に向けて突出している。下支持部１６は、上方に向かうに従い漸次、前方に向けて延びている。下支持部１６の後面は、受部１３の上面と直角をなしている。
【００２８】
下支持部１６の左右方向の両端部に、後方に向けて突出する側壁１６ａが形成されている。側壁１６ａは、表裏面が左右方向を向く上下方向に長い長方形状の板状に形成されている。下支持部１６の前面において、後述する挿通孔１６ｃより下方に位置する下端部と、受部１３の下面において、左右方向で互いに隣り合う貫通孔１３ａ同士の間に位置する部分と、に跨って、表裏面が左右方向を向く板状に形成された補強リブ１６ｄが配設されている。
【００２９】
上支持部１７は、図１および図２に示されるように、基板部１２の上面から上方に向けて突出するとともに、基板部１２の上面において、差込孔１１にこの差込孔１１の前方から連なる部分に配設されている。上支持部１７は、携帯型端末Ｗのうち、基板部１２より上方に位置する上部の背面を支持する。上支持部１７によって支持される携帯型端末Ｗの上部の長さは、携帯型端末Ｗの全長の例えば２分の１以上３分の２未満となっている。上支持部１７は、上方に向かうに従い漸次、前方に向けて延びている。上支持部１７の後面の上下方向に対する傾斜角度は、下支持部１６の後面の上下方向に対する傾斜角度と同等になっている。上支持部１７の後面の下端と、下支持部１６の後面の上端と、は段差なく連なっている。
【００３０】
保持部１５は、差込孔１１に差し込まれた携帯型端末Ｗを着脱可能に保持する。
保持部１５は、横保持部１８と、面保持部１９と、挟持部２０と、を備える。横保持部１８および面保持部１９は、基板部１２の下方に配設され、挟持部２０は、基板部１２の上方に配設されている。
【００３１】
横保持部１８は、図３に示されるように、差込孔１１に差し込まれた携帯型端末Ｗの下部を、弾性変形した状態で左右方向の両側から挟み込む。横保持部１８は、下支持部１６の側壁１６ａから左右方向の内側に向かうに従い漸次、下方に向けて延び、表裏面が左右方向を向き、かつ上下方向に長い長方形状の板状に形成されている。横保持部１８の下端部は、受部１３の突条部１３ｂより上方に位置している。横保持部１８は、左右方向の外側に向けて弾性変形可能に形成されている。
【００３２】
横保持部１８は、左右方向の外側に位置し、左右方向の外側に向けて突となるように湾曲した外湾曲部１８ａと、左右方向の内側に位置し、左右方向の内側に向けて突となるように湾曲した内湾曲部１８ｂと、を備え、外湾曲部１８ａの下端および内湾曲部１８ｂの上端は互いに段差なく連なっている。内湾曲部１８ｂの長さは、外湾曲部１８ａの長さより長い。外湾曲部１８ａにおける左右方向の外端部が、下支持部１６の側壁１６ａに連結されている。横保持部１８は、下支持部１６の側壁１６ａとの連結部分を含む全長にわたって、左右方向の外側に弾性変形可能に形成されている。下支持部１６の後面のうち、横保持部１８と対向する部分に、下支持部１６の平面視において、横保持部１８よりわずかに大きい貫通孔１６ｂが形成されている。横保持部１８のうちの内湾曲部１８ｂが、差込孔１１に差し込まれた携帯型端末Ｗに当接する。
【００３３】
一対の面保持部１９は、差込孔１１に差し込まれた携帯型端末Ｗの下部を前後方向の両側から挟み込む。一対の面保持部１９は、弾性片２１と、突き当て片２２と、を備える。
【００３４】
弾性片２１は、下支持部１６に配設されるとともに、弾性変形可能に形成されていて、差込孔１１に差し込まれた携帯型端末Ｗに弾性変形した状態で当接する。弾性片２１は、表裏面が前後方向を向き、かつ上下方向に長い長方形状の板状に形成されている。弾性片２１の上端部は、後方に向けて突となるように湾曲している。図２に示されるように、弾性片２１のうち、少なくとも上端部における湾曲した後側頂部２１ａは、下支持部１６の後面より後方に位置している。弾性片２１は、上端部から下方に向かうに従い漸次、後方に向けて延びている。
【００３５】
ここで、下支持部１６に、下支持部１６の平面視で、弾性片２１よりわずかに大きい挿通孔１６ｃが形成され、弾性片２１は、挿通孔１６ｃを前方に通過しながら弾性変形する。弾性片２１の下端部は、下支持部１６の後面における挿通孔１６ｃの開口周縁部の下端より前方に位置している。弾性片２１の下端部は、横保持部１８の下端部より下方に位置している。弾性片２１は、下端部回りに前方に向けて弾性変位可能に配設されている。
【００３６】
突き当て片２２は、図２に示されるように、基板部１２に配設されるとともに、弾性片２１により後方に押された携帯型端末Ｗの下部を携帯型端末Ｗの後方から支持する。突き当て片２２は、基板部１２の下面において、差込孔１１にこの差込孔１１の後方から連なる部分に配設されている。突き当て片２２のうち、前方を向き、携帯型端末Ｗの下部を支持する突き当て部２２ａは、上下方向および前後方向の双方向に沿う縦断面視において、上支持部１７および下支持部１６の各後面に沿って延びている。突き当て部２２ａは、前記縦断面視において、弾性片２１のうち少なくとも上端部に、上支持部１７および下支持部１６の各後面に直交する方向で対向している。
【００３７】
図示の例では、突き当て片２２は、表裏面が左右方向を向き、左右方向に間隔をあけて配設された複数の板体２２ｂを備える。板体２２ｂは、左右方向から見て三角形状を呈し、この三角形状を構成する三辺のうち、第一辺が基板部１２の下面に位置し、第二辺が第一辺の後端から下方に向けて延び、第三辺が第一辺の前端から下方に向かうに従い漸次、後方に向けて延びている。複数の板体２２ｂにおける前記第三辺をなす部分が、突き当て片２２の突き当て部２２ａを構成している。板体２２ｂにおいて、第二辺と第三辺との接続部分は、下方に向けて突の曲線状に形成されている。この接続部分の上下方向の位置は、弾性片２１の上端部における湾曲した後側頂部２１ａの上下方向の位置に対して同等か、わずかに上方に位置している。
【００３８】
突き当て片２２は、複数の板体２２ｂを一体に連結する連結板２２ｃを備える。連結板２２ｃは、基板部１２の下面から下方に突出し、複数の板体２２ｂそれぞれにおいて、前記第二辺をなす後端縁同士を連結している。連結板２２ｃは、表裏面が前後方向を向き、左右方向に長い長方形状の板状に形成されている。
【００３９】
挟持部２０は、上支持部１７の後面との間で携帯型端末Ｗの上部を前後方向に挟む。図示の例では、挟持部２０は、左右方向に間隔をあけて一対配設され、差込孔１１に差し込まれた携帯型端末Ｗの上部を左右方向にも挟む。
なお、挟持部２０は、１つ配設されてもよく、差込孔１１に差し込まれた携帯型端末Ｗの上部を左右方向に挟み込まなくてもよい。また、挟持部２０として、左右方向に延びる帯状に形成されていて、差込孔１１に差し込まれた携帯型端末Ｗの上部を、左右方向の全長にわたって一体に、上支持部１７の後面との間で前後方向に挟む構成を採用してもよい。
【００４０】
挟持部２０は、上支持部１７の後面より後方に配設されている。挟持部２０は、中心軸線Ｏ１が上支持部１７の後面に直交する方向に延びる軸状に形成されている。図示の例では、挟持部２０は筒状に形成されている。なお、挟持部２０は中実に形成されてもよい。挟持部２０の外周面は、中心軸線Ｏ１に沿って上支持部１７の後面側に近づくに従い漸次、縮径している。挟持部２０の外周面は、中心軸線Ｏ１に沿う縦断面視で内側に向けて窪む曲線状を呈する。挟持部２０は、差込孔１１に差し込まれる携帯型端末Ｗの筐体を形成する材質より軟らかい軟材質で形成されている。軟材質としては、例えばゴム材料、若しくはエラストマーなどが挙げられる。
【００４１】
挟持部２０は、第１支持軸２５に回転可能に外嵌されている。
ここで、上支持部１７には、第１支持軸２５が挿入された挿入孔１７ａが形成されている。挿入孔１７ａは、上支持部１７の下部に形成されている。第１支持軸２５は、上支持部１７を前後方向に貫いて配設され、挟持部２０は、第１支持軸２５の後端部に配設されている。上支持部１７の後面における挿入孔１７ａの開口周縁部は、挟持部２０の外周面に、中心軸線Ｏ１に沿う方向で対向している。これにより、挟持部２０の外周面は、上支持部１７の後面における挿入孔１７ａの開口周縁部との間で、差込孔１１に差し込まれた携帯型端末Ｗの上部を前後方向に挟むことができる。
【００４２】
支持部１４において、挿入孔１７ａより下方に位置する部分に、前後方向に貫く第２支持軸２６が取り付けられている。第２支持軸２６の前端部は、支持部１４より前方に突出している。第２支持軸２６は、上支持部１７の下端部に取り付けられている。なお、第２支持軸２６は、下支持部１６に取り付けられてもよい。上支持部１７の後面の平面視において、挿入孔１７ａは、第２支持軸２６を中心とする円弧状を呈する長孔となっている。
【００４３】
図４に示されるように、第２支持軸２６の前端部と、第１支持軸２５の前端部と、が連結片２７を介して連結されている。連結片２７は、表裏面が前後方向を向き、かつ上下方向に長い長方形状の板状に形成されている。連結片２７の表裏面は、支持部１４の後面とほぼ平行になっている。連結片２７の上端部は、第１支持軸２５の前端部に連結され、連結片２７の下端部は、第２支持軸２６の前端部に連結されている。連結片２７の上端部および下端部に、挿入孔が各別に形成されており、各挿入孔に、第１支持軸２５および第２支持軸２６の各前端部が遊嵌されている。連結片２７は、支持部１４において、携帯型端末Ｗの背面を支持する後面と反対側の前面側に配設されている。
【００４４】
左右一対の連結片２７における上端部同士は、互いを左右方向に接近する向きに付勢する付勢部２８を介して連結されている。付勢部２８は、支持部１４の前面側に配設されており、外部から視認しにくくなっている。付勢部２８は、左右方向に延びるコイルスプリングとなっている。第１支持軸２５は、挿入孔１７ａの内周面のうち、左右方向の内端部に位置し、かつ左右方向の外側を向く面に、左右方向の内側に向けて付勢された状態で当接している。
以上より、一対の挟持部２０の双方が、左右方向に弾性変位可能に配設され、携帯型端末Ｗの上部に左右方向に付勢された状態で当接する。
【００４５】
ここで、ハンドル部Ｈは、図示されないフレームに、ハンドル軸Ｏ回りに回転可能に挿入されたハンドルステムＨ１と、ハンドルステムＨ１の上方に配設され、左右方向に延びるハンドルＨ２と、ハンドルステムＨ１とハンドルＨ２とを連結する連結部Ｈ３と、を備える。
ハンドルＨ２の左右方向の両端部は、運転者が握るグリップ部Ｇとなっている。連結部Ｈ３は、上方に向かうに従い漸次、前方に向けて延びている。
【００４６】
本実施形態では、保持構造１は、ハンドル部ＨのハンドルステムＨ１が内側に挿通されるとともに、ハンドルステムＨ１を上方から覆う有頂筒状の本体部２３を備え、本体部２３の頂壁が基板部１２となっている。また、図３に示されるように、受部１３、下支持部１６、横保持部１８、および弾性片２１は一体に形成されており、下支持部１６が、本体部２３の内側に嵌合され、かつ、本体部２３の内周面に前後方向に間隔をあけて形成された複数の支持突部２３ａにより下支持部１６の下方から支持されることによって、受部１３、下支持部１６、横保持部１８、および弾性片２１が、本体部２３に固定されている。本体部２３は、ハンドルステムＨ１の外周面に、不図示の連結部材を介して固定されている。
以上より、ハンドル部Ｈのハンドル軸Ｏ回りのハンドル操作に追従して、本体部２３は、受部１３、下支持部１６、横保持部１８、および弾性片２１とともに、ハンドル軸Ｏ回りに回転する。
【００４７】
図２に示されるように、本体部２３は、連結部Ｈ３の下部も覆っている。受部１３、下支持部１６、横保持部１８、および面保持部１９は、基板部１２の下面とハンドルステムＨ１との間に配設されている。上支持部１７は、連結部Ｈ３の上部を斜め後方から覆い、かつハンドルＨ２における左右方向の中間部を上方から覆っている。上支持部１７の上端部は、ハンドルＨ２における左右方向の中間部の外周面のうち上方を向く上面に取り付けられている。
【００４８】
図示の例では、保持構造１は、ハンドルＨ２のうち、上支持部１７で覆われた部分、および左右方向の両端部に位置するグリップ部Ｇを除く全域を覆うハンドルカバー３１と、連結部Ｈ３の上部のうち、上支持部１７で覆われた部分を除く全域を覆う連結部カバー３２と、を備えている。ハンドルカバー３１は、ハンドルＨ２における左右方向の中間部の外周面のうち上方を向く上面に取り付けられている。連結部カバー３２は、本体部２３と一体に形成されている。
以上の構成において、保持構造１は、ハンドル部Ｈのうち、ハンドルＨ２のグリップ部Ｇを除く全域を覆っており、例えば電気配線を覆い隠すこと等ができる。
【００４９】
次に、以上のように構成された保持構造１の作用について説明する。
【００５０】
携帯型端末Ｗの背面を、上支持部１７の後面に摺接させながら、携帯型端末Ｗを一対の挟持部２０同士の間に差し込むと、携帯型端末Ｗの側面が、挟持部２０の外周面に当接することで、携帯型端末Ｗの幅に合わせて、挟持部２０および第１支持軸２５が、挿入孔１７ａに沿って左右方向の外側に向けて変位しつつ、連結片２７が、第２支持軸２６回りに回転する。この際、付勢部２８が左右方向に引張変形させられるとともに、挟持部２０が第１支持軸２５に対して中心軸線Ｏ１回りに回転する。
そして、携帯型端末Ｗの下部が差込孔１１に差し込まれると、挟持部２０の外周面は、上支持部１７の後面における挿入孔１７ａの開口周縁部との間で、携帯型端末Ｗの上部を前後方向に挟み、かつこの携帯型端末Ｗの上部の側面に左右方向に付勢された状態で当接する。
【００５１】
一方、携帯型端末Ｗの下部が差込孔１１に差し込まれる際、携帯型端末Ｗの下部が、横保持部１８の内湾曲部１８ｂのうち、左右方向の内側を向く表面に当接し、横保持部１８を、左右方向の外端部回りに左右方向の外側に向けて弾性変形させる。これにより、左右一対の横保持部１８が、弾性変形した状態で、携帯型端末Ｗの下部を左右方向に挟み込む。この際、携帯型端末Ｗは、面保持部１９の弾性片２１の後面のうち少なくとも後側頂部２１ａにも当接し、弾性片２１を、挿通孔１６ｃを前方に通過させつつ、下端部回りに前方に向けて弾性変形させる。これにより、携帯型端末Ｗが弾性片２１により後方に付勢された状態で、突き当て片２２の突き当て部２２ａに当接させられることによって、面保持部１９が、携帯型端末Ｗの下部を前後方向に挟み込む。
【００５２】
以上の過程において、携帯型端末Ｗが、横保持部１８に当接する当初、左右方向の内側に向けて突の曲面状に形成された内湾曲部１８ｂに当接し、また、面保持部１９に当接する当初、弾性片２１の後側頂部２１ａに当接するので、携帯型端末Ｗを引っ掛かり少なく円滑に差込孔１１に差し込むことができる。すなわち、保持部１５のうち、少なくとも、差込孔１１に差し込まれた携帯型端末Ｗの下部が当接する部分を、携帯型端末Ｗに向けて突の曲面状に形成することによって、携帯型端末Ｗを引っ掛かり少なく円滑に差込孔１１に差し込むことができる。
【００５３】
以上説明したように、本実施形態による携帯型端末Ｗの保持構造１によれば、受部１３が、携帯型端末Ｗを、携帯型端末Ｗの上部を差込孔１１から上方に突出させた状態で支持するので、携帯型端末Ｗの上部の画面を、外部に露呈させた状態で運転者に向けることが可能になり、この保持構造１が長期間使用され続け、仮に経年劣化したとしても、運転者が携帯型端末Ｗの画面を見やすい状態に保つことができる。
また、携帯型端末Ｗの上部の画面を、外部に露呈させた状態で運転者に向けることが可能になることから、停車時に、例えば、携帯型端末Ｗの画面を覆う扉等を開く操作を行わず即座に、画面を操作することもできる。
また、携帯型端末Ｗが、受部１３、支持部１４、および保持部１５で支持されるので、携帯型端末Ｗの上部を外部に露呈させたとしても、携帯型端末Ｗを安定して固定することができる。
【００５４】
以上の作用効果が、例えば、携帯型端末Ｗの画面を開閉する扉等を用いず、基板部１２、受部１３、支持部１４、および保持部１５を備える比較的簡易な構成によって奏されることから、複雑な機構部分を排除することが可能になり、破損しにくくすることができる。
【００５５】
また、支持部１４が、基板部１２の上面から上方に向けて突出した上支持部１７を備えるので、差込孔１１に差し込まれた携帯型端末Ｗの上部の背面を、上支持部１７により支持した状態で、この背面の反対側に位置する画面を操作することが可能になり、画面の操作時に、携帯型端末Ｗが、この保持構造１に対してぐらつくのを抑制することができる。
また、上支持部１７が、基板部１２の上面において、差込孔１１にこの差込孔１１の前方から連なる部分に配設されているので、携帯型端末Ｗを、その背面を上支持部１７の後面に摺接させながら、差込孔１１に差し込むことが可能になり、画面を運転者に向けた状態で携帯型端末Ｗを差込孔１１に容易に差し込むことができる。
【００５６】
また、保持部１５が、上支持部１７の後面との間で、差込孔１１に差し込まれた携帯型端末Ｗの上部を前後方向に挟む挟持部２０を備えるので、携帯型端末Ｗの上部が、前後方向に変位するのを抑制することが可能になり、車両が例えば段差を通過したとき等、差込孔１１に差し込まれた携帯型端末Ｗに大きな加速度が加えられても、携帯型端末Ｗの上部が、前後方向に揺動して上支持部１７の後面に衝突するのを抑制することができる。
【００５７】
また、挟持部２０が左右方向に間隔をあけて一対配設されているので、差込孔１１に差し込まれた携帯型端末Ｗの画面が、挟持部２０により見えにくくなるのを抑えることができる。また、挟持部２０が、差込孔１１に差し込まれた携帯型端末Ｗの上部を左右方向に挟むので、携帯型端末Ｗの上部を上支持部１７に安定して固定することができる。
【００５８】
また、一対の挟持部２０が、左右方向に弾性変位可能に配設され、差込孔１１に差し込まれた携帯型端末Ｗの上部に左右方向に付勢された状態で当接するので、携帯型端末Ｗの上部を上支持部１７に確実に安定して固定することができるとともに、携帯型端末Ｗを一対の挟持部２０同士の間に差し込む際に、挟持部２０を弾性変位させることで、携帯型端末Ｗを一対の挟持部２０同士の間に容易に差し込むことができる。
【００５９】
また、挟持部２０の外周面が、前記中心軸線Ｏ１に沿って上支持部１７の後面側に近づくに従い漸次、縮径しているので、厚さが異なる複数種の携帯型端末Ｗを、挟持部２０を交換せず１種類の挟持部２０を用いて上支持部１７の後面との間で前後方向に挟むことができる。
また、挟持部２０が、前記中心軸線Ｏ１回りに回転可能に配設されているので、携帯型端末Ｗを、一対の挟持部２０同士の間に差し込む際に、挟持部２０の外周面に当接させることで、挟持部２０を前記中心軸線Ｏ１回りに回転させることが可能になり、携帯型端末Ｗを、一対の挟持部２０同士の間に引っ掛かり少なく円滑に差し込むことができる。
【００６０】
また、挟持部２０が、差込孔１１に差し込まれる携帯型端末Ｗの筐体を形成する材質より軟らかい軟材質で形成されているので、挟持部２０が携帯型端末Ｗを傷付けるのを抑制することができる。
また、頂壁が基板部１２とされた有頂筒状の本体部２３を備えるので、携帯型端末Ｗの保持構造１を、鞍乗り型車両の意匠性を阻害することなく、ハンドル部Ｈに安定して装着することができる。
【００６１】
なお、本発明の技術範囲は、前述した各実施形態に限定されるものではなく、本発明の趣旨を逸脱しない範囲において種々の変更を加えることが可能である。
【００６２】
例えば、前記実施形態では、保持部１５として、横保持部１８、面保持部１９、および挟持部２０を備える構成を示したが、横保持部１８、および面保持部１９は備えなくてもよい。
また、保持部１５は、例えば、上支持部１７の後面に設けられ、携帯型端末Ｗを携帯型端末Ｗの上方から支持することで、携帯型端末Ｗの差込孔１１からの抜けを規制する突起を備えてもよいし、また、上支持部１７の後面に設けられた滑り止め用の粗面部等を備えてもよい。
【００６３】
また、挟持部２０外周面が、前記中心軸線Ｏ１に沿って上支持部１７の後面側に近づくに従い漸次、縮径した構成を示したが、これに限らず例えば、挟持部２０の外周面が、前記中心軸線Ｏ１に沿って真直ぐ延び、この外周面にフランジ部を形成し、このフランジ部と上支持部１７の後面との間で携帯型端末Ｗを前後方向に挟んでもよい。
また、挟持部２０が、前記中心軸線Ｏ１回りに回転可能に配設された構成を示したが、前記中心軸線Ｏ１回りに回転不能に配設されてもよい。
また、挟持部２０は、差込孔１１に差し込まれる携帯型端末Ｗの筐体を形成する材質の硬さ以上の硬さの材質で形成されてもよい。
【００６４】
また、前記実施形態では、一対の挟持部２０の双方が、左右方向に弾性変位可能に配設された構成を示したが、いずれか一方のみを弾性変位可能に配設してもよいし、いずれも弾性変位可能に配設しなくてもよい。
また、前記実施形態では、一対の横保持部１８の双方が、弾性変形可能に形成された構成を示したが、いずれか一方のみを弾性変形可能に形成してもよいし、いずれも弾性変形可能に形成しなくてもよい。
また、前記実施形態では、面保持部１９として、弾性片２１が下支持部１６に配設され、突き当て片２２が基板部１２に配設された構成を示したが、例えば、弾性片２１が基板部１２に配設され、突き当て片２２が下支持部１６に配設された構成を採用してもよく、また、突き当て片２２を有さず、弾性片２１を一対備える構成を採用してもよい。
【００６５】
また、支持部１４に、例えばＩＣタグ等の近距離無線通信デバイスを配設してもよい。このデバイスに、例えば車種等の識別情報を記憶させておき、差込孔１１に差し込んだ携帯型端末Ｗにこの情報を読み込ませ、読み込んだ識別情報を携帯型端末Ｗからコンテンツサーバに送信し、コンテンツサーバから識別情報に適合した情報を携帯型端末Ｗに受信させるようにしてもよい。この場合、例えば、差込孔１１に差し込んだ後の携帯型端末Ｗの操作を制限したり、携帯型端末Ｗの表示画面を、鞍乗り型車両用のものに切替えたりすること等ができる。後者の例として、電動アシスト自転車のバッテリー残量、速度計、および地図等が挙げられる。
また、鞍乗り型車両がレンタサイクルの場合、携帯型端末Ｗを支持部１４に支持させたときに、電子決済でレンタル料を支払うことが可能となるデバイスを支持部１４に配設してもよい。
【００６６】
前記実施形態では、支持部１４が、上支持部１７および下支持部１６の双方を備える構成を示したが、下支持部１６は備えなくてもよい。
また、前記実施形態では、保持構造１として、ハンドル部Ｈのうち、ハンドルＨ２のグリップ部Ｇを除く全域を覆うカバーを示したが、これに限らず例えば、本体部２３、ハンドルカバー３１、および連結部カバー３２等を有さず、差込孔１１が形成された基板部１２、受部１３、支持部１４、および保持部１５のみを有する構成を採用してもよい。
【００６７】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００６８】
１  保持構造
１１  差込孔
１２  基板部
１３  受部
１４  支持部
１５  保持部
１７  上支持部
２０  挟持部
２３  本体部
Ｈ  ハンドル部
Ｈ１  ハンドルステム
Ｏ１  中心軸線
Ｗ  携帯型端末
【図１】
2019199204.tif 000003
【図２】
2019199204.tif 000004
【図３】
2019199204.tif 000005
【図４】
2019199204.tif 000006